(57)【要約】  加入者のパケット交換セッションをアンカーする方法が、セッションをセットアップするためのパケット交換要求を受信するステップと、前記加入者の訪問先ネットワークの制御ノード（ＭＳＣ−Ｓ）において前記パケット交換セッションをアンカーするステップと、を備える。
2013510488.tif 000002
【特許請求の範囲】
【請求項１】
加入者のパケット交換セッションをアンカーする方法であって、
セッションをセットアップするためのパケット交換要求を受信するステップと、
前記加入者の訪問先ネットワークの制御ノード（６００）において前記パケット交換セッションをアンカーするステップと、
を備えることを特徴とする方法。
【請求項２】
前記加入者のホームネットワークの制御ノード（５００）によって実行される
ことを特徴とする請求項１に記載の方法。
【請求項３】
前記アンカーするステップは、前記訪問先ネットワークの前記制御ノード（６００）において前記パケット交換セッションをアンカーすると共に前記訪問先ネットワークの送信ノード（ＭＧＷ）においてメディアをアンカーするために、前記訪問先ネットワークの前記制御ノード（６００）に対して情報を送信するステップを含む
ことを特徴とする請求項１又は２に記載の方法。
【請求項４】
ホームネットワークの前記制御ノード（５００）において前記パケット交換セッションのためのシグナリングをアンカーするステップを備える
ことを特徴とする請求項１乃至３のいずれか１項に記載の方法。
【請求項５】
前記アンカーするステップは、前記訪問先ネットワークの前記制御ノード（６００）を識別するステップを含む
ことを特徴とする請求項１乃至４のいずれか１項に記載の方法。
【請求項６】
前記識別するステップは、前記訪問先ネットワークの前記制御ノード（６００）の設定済パブリックサービスアイデンティティ（ＰＳＩ)を使用すること、及び、前記訪問先ネットワークの前記制御ノード（６００）に関する情報をホームネットワークに対して要求することのうちの少なくとも一方に基づく
ことを特徴とする請求項５に記載の方法。
【請求項７】
前記訪問先ネットワークの前記制御ノード（６００）に関する情報を前記ホームネットワークに対して要求することは、前記ホームネットワークのホームロケーションレジスタ（ＨＬＲ）及びホーム加入者サーバ（ＨＳＳ）のうちの少なくとも一方に対して移動局ローミング番号（ＭＳＲＮ）を要求することを含む
ことを特徴とする請求項６に記載の方法。
【請求項８】
前記訪問先ネットワークの前記制御ノード（６００）において前記パケット交換セッションをアンカーすると共に前記訪問先ネットワークの送信ノード（ＭＧＷ）においてメディアをアンカーするために、前記訪問先ネットワークの前記制御ノード（６００）に対して情報を送信する前記ステップは、Ｃ−ＭＳＩＳＤＮ(Correlation Mobile Station International ISDN Number)、ＩＭＳＩ(International Mobile Subscriber Identity)、及びメディア記述のうちの少なくとも１つを送信するステップを含む
ことを特徴とする請求項３乃至７のいずれか１項に記載の方法。
【請求項９】
前記訪問先ネットワークの前記制御ノード（６００）において前記パケット交換セッションをアンカーすると共に前記訪問先ネットワークの送信ノード（ＭＧＷ）においてメディアをアンカーするために、前記訪問先ネットワークの前記制御ノード（６００）に対して情報を送信する前記ステップは、前記セッションのセットアップに関する情報を前記訪問先ネットワークの前記制御ノード（６００）へ転送するステップを含む
ことを特徴とする請求項３乃至８のいずれか１項に記載の方法。
【請求項１０】
加入者のパケット交換セッションをアンカーする制御ノード（５００）であって、
セッションをセットアップするためのパケット交換要求を受信する受信ユニット（５０２）と、
前記加入者の訪問先ネットワークの制御ノード（６００）において前記パケット交換セッションをアンカーするアンカーユニット（５０４）と、
を備えることを特徴とする制御ノード（５００）。
【請求項１１】
前記加入者のホームネットワークのサービス集中及び継続アプリケーションサーバ（ＳＣＣ  ＡＳ）として構成される
ことを特徴とする請求項１０に記載の制御ノード（５００）。
【請求項１２】
請求項１乃至９のいずれか１項に記載の加入者のパケット交換セッションをアンカーする方法を実行するように構成される
ことを特徴とする請求項１０又は１１に記載の制御ノード（５００）。
【請求項１３】
パケット交換アクセスから回線交換アクセスへの加入者のセッションのハンドオーバーを実行する方法であって、
ハンドオーバー要求を受信するステップと、
送信ノード（ＭＧＷ）に対して、前記パケット交換アクセスに関連付けられた前記セッションのソースアクセスレグを前記回線交換アクセスに関連付けられた前記セッションの目標のアクセスレグへ転送するように指示するステップと、
を備えることを特徴とする方法。
【請求項１４】
実施形態が、前記加入者の訪問先ネットワークの制御ノード（６００）によって実行される
ことを特徴とする請求項１３に記載の方法。
【請求項１５】
パケット交換アクセスから回線交換アクセスへの加入者のセッションのハンドオーバーを実行する制御ノード（６００）であって、
ハンドオーバー要求を受信する受信ユニット（６０２）と、
送信ノード（ＭＧＷ）に対して、前記パケット交換アクセスに関連付けられた前記セッションのソースアクセスレグを前記回線交換アクセスに関連付けられた前記セッションの目標のアクセスレグへ転送するように指示する指示ユニット（６０４）と、
を備えることを特徴とする制御ノード（６００）。
【請求項１６】
移動交換局サーバ（ＭＳＣ−Ｓ）として構成される
ことを特徴とする請求項１５に記載の制御ノード（６００）。
【請求項１７】
訪問先アクセス転送機能（ＶＡＴＦ）を備える
ことを特徴とする請求項１５又は１６に記載の制御ノード（６００）。
【請求項１８】
請求項１３又は１４に記載のパケット交換アクセスから回線交換アクセスへの加入者のセッションのハンドオーバーを実行する方法を実行するように構成される
ことを特徴とする請求項１５又は１７に記載の制御ノード（６００）。
【発明の詳細な説明】
【技術分野】
【０００１】
本発明は、通信に関し、特にハンドオーバー遅延の最適化に関し、更に、特にセッション転送遅延の最適化に関する。
【背景技術】
【０００２】
移動体ネットワークは、現在、純粋な回線交換（ＣＳ）ネットワークからＩＰベースのネットワークへと発展しつつあり、それにより、インターネット、ワールドワイドウェブ、及びデータ通信産業のためにも使用されるＩＰベースのインフラの中に組み込まれている。
【０００３】
この傾向により、移動体ネットワークは、有線ネットワークの進化ステップに対して密接に追従しており、デジタル加入者線（ＤＳＬ）アクセス又は無線ローカルエリアネットワーク（ＷＬＡＮ）アクセスを介したボイス・オーバー・インターネットプロトコル（ＶｏＩＰ）が今日では既存の技術である。
【０００４】
ＩＰマルチメディア・サブシステム（ＩＭＳ）ネットワークを導入してＩＭＳサービスを提供する移動体オペレータは、これらのサービスを、ＧＳＭ(Global Systems for Mobile Communications)／ＷＣＤＭＡ(Wideband Code Division Multiple Access)の加入者も利用できるようにすることを望んでいる。この点に関して、ＧＳＭ／ＷＣＤＭＡの加入者のこのグループからの、及びこのグループへの呼は、ＩＭＳサービスエンジンが呼及び呼関連サービスを実行するために、ＩＭＳネットワーク経由でルーティングされる。このコンセプトは、ＩＭＳ集中サービス（ＩＣＳ）と呼ばれる。第３世代パートナーシップ・プログラム（３ＧＰＰ）のＩＭＳ集中サービス・ワークアイテムは、ＩＭＳサービスに対するアクセスのためにＣＳアクセスを使用することを目標としており（例えば、３ＧＰＰ技術仕様２３．２９２）、IMS Service Continuityによって補完される（例えば、３ＧＰＰ技術仕様２３．２３７）。
【０００５】
ＩＣＳの傾向と並行して、ＥＰＳ(Evolved Packet System)の一部としてパケットコアが発展しており（ＥＰＣ(Evolved Packet Core)）、新たな無線アクセスネットワークとしてＥＵＴＲＡＮ（又は、やはり示されるようにＬＴＥ）をサポートしている。この議論の一部として、ＳＲＶＣＣ(Single Radio Voice Call Continuity)が３ＧＰＰ  ＳＡ２において進行中であり（例えば、３ＧＰＰ技術仕様２３．２１６）、パケット交換（ＰＳ）ドメインから回線交換（ＣＳ）ドメインへのＩＭＳ音声呼ドメイン間ハンドオーバー（ＨＯ）を可能にしている。この標準の今後のリリースにおいては、元に戻る方向も標準化されるであろうと考えられる。ドメイン間ＨＯは、ＳＲＶＣＣにおける完全なセッション転送の１ステップであり、２番目のステップは、ＩＭＳセッションをＰＳアクセスからＣＳアクセスへと移動させ、このことは、上述のIMS Service continuity技術仕様において規定されるＳＣＣ  ＡＳにおいて実行される。
【０００６】
図１を参照して、セッション又は呼が加入者のホームネットワークの中でアンカーされている間に使用される、既知の通信アーキテクチャについて以下に説明する。通信アーキテクチャは、３ＧＰＰ技術仕様２３．２３７及び２３．２１６から知ることができる。
【０００７】
加入者ＵＥは、ＬＴＥ又はＵＴＲＡＮ  ＨＳＰＡのアクセスネットワークを経由してＩＭＳに登録される。ＵＥの呼は、ＩＭＳのＳＣＣ  ＡＳ(Service Centralization and Continuity Application Server)においてアンカーされる。呼がアンカーされるアクセスネットワーク及びＩＭＳは、ホームネットワーク、又は加入者のホームドメインと呼ばれる。
【０００８】
加入者がローミングする可能性のある訪問先ネットワーク又は訪問先ドメインは、ＧＥＲＡＮ又はＵＴＲＡＮのアクセスネットワーク、及び、ＬＴＥ又はＵＴＲＡＮ  ＨＳＰＡのアクセスネットワークを含み、また、少なくとも１つの移動交換局サーバ（ＭＳＣ−Ｓ）及び少なくとも１つのメディアゲートウェイ（ＭＧＷ）を含むコアネットワークを含む。
【０００９】
呼制御シグナリングは、ｅＮｏｄｅＢ及びサービングゲートウェイ（Ｓ−ＧＷ）及びＰＤＮ−ＧＷ経由で訪問先ドメインからＩＭＳ（これは、Ｐ−ＣＳＣＦ、Ｓ−ＣＳＣＦ、及びＳＣＣ  ＡＳを少なくとも含む）へ搬送され、また、その逆経路でも搬送される。メディアは、ｅＮｏｄｅＢ及びサービングゲートウェイ（Ｓ−ＧＷ）及びＰＤＮ−ＧＷ経由でリモート端へ伝送され、ここで、リモート端は、ＩＭＳ端末、又は、他の何らかのメディア処理デバイス（例えば、ＭＲＦＰ(Media Resource Function Processor)）であり、その逆経路でも伝送される。
【００１０】
しかしながら、現行のＳＲＶＣＣソリューションは、加入者がローミングしている場合でも、ＳＣＣ  ＡＳ（これは、ＩＭＳ制御プレーンの視点からはセッションのモビリティアンカーポイントである）がホームドメインの中に存在することを見越している。メディアアンカーは、実際には、リモート端である。この種の通信アーキテクチャは、下記の事柄から推測されるであろう、低質なサービスエクスペリエンスという結果をもたらす可能性がある。
【００１１】
セッションの転送中に、メディアパスを変更するためには、ＳＤＰを搬送するＳＩＰシグナリングは、ホームネットワークへ戻るようにルーティングされなければならず、従って、リモート端まではるばるルーティングされなければならない。このことは、メディアプレーンにおいてポートを変更することにより実行される。
【００１２】
この問題を改善する潜在的なソリューションは、ＳＣＣ  ＡＳがホームＩＭＳネットワークの中にＭＲＦＣ(Multimedia Resource Function Control)を挿入することかもしれない。ＭＲＦＣは、前述のように（呼び出されている更なる加入者に関する特定の情報）リモート端を更新することにより導入される時間遅延を最小化するために、メディアパスの中にＭＲＦＰを挿入するであろう。しかしながら、この場合でも、ＳＣＣ  ＡＳ、ＭＲＦＣ、及びＭＲＦＰは、加入者のホームネットワークの中に存在することになる。
【００１３】
注目に値するであろうこととして、この目的で訪問先ネットワークのＩＭＳエンティティを使用することは不可能である。加入者は、ホームネットワークのＩＭＳを使用しなければならない。
【発明の概要】
【００１４】
本発明の目的は、能力が向上した特徴を有する、加入者のパケット交換セッションをアンカーする方法、加入者のパケット交換セッションをアンカーする制御ノード、パケット交換アクセスから回線交換アクセスへの加入者のセッションのハンドオーバーを実行する方法、及び、パケット交換アクセスから回線交換アクセスへの加入者のセッションのハンドオーバーを実行する制御ノードを提供することである。
【００１５】
この目的は、独立請求項の主題により達成可能である。有利な実施形態が、更なる請求項に記載されている。
本発明の基本的なコンセプトは、訪問先ネットワークの中に、転送機能、とりわけ、アクセス転送機能を提供することであり、より明確には、訪問先ネットワークの中にサービングＭＳＣサーバによる転送機能を提供することである。メディアも、ＭＳＣサーバにより制御されるＭＧＷの中でアンカーすることができる。ホームネットワーク中のＳＣＣ  ＡＳは、アクセス転送機能を探し、ＳＩＰメッセージを訪問先ネットワーク中の正しい又は適当なＭＳＣサーバへとルーティングすることに関与する。
【００１６】
本発明の例示的な態様によれば、加入者のパケット交換セッションをアンカーする方法を提供することができる。前記方法は、セッションをセットアップするためのパケット交換要求を受信するステップと、前記加入者の訪問先ネットワークの制御ノードにおいて前記パケット交換セッションをアンカーするステップと、を備えることができる。
【００１７】
本発明の別の例示的な態様によれば、加入者のパケット交換セッションをアンカーする制御ノードを提供することができる。前記制御ノードは、セッションをセットアップするためのパケット交換要求を受信する受信ユニットと、前記加入者の訪問先ネットワークの制御ノードにおいて前記パケット交換セッションをアンカーするアンカーユニットと、を備えることができる。
【００１８】
本発明の別の例示的な態様によれば、パケット交換アクセスから回線交換アクセスへの加入者のセッションのハンドオーバーを実行する方法を提供することができる。前記方法は、ハンドオーバー要求を受信するステップと、送信ノードに対して、前記パケット交換アクセスに関連付けられた前記セッションのソースアクセスレグを前記回線交換アクセスに関連付けられた前記セッションの目標のアクセスレグへ転送するように指示するステップと、を備える。
【００１９】
本発明の別の例示的な態様によれば、パケット交換アクセスから回線交換アクセスへの加入者のセッションのハンドオーバーを実行する制御ノードを提供することができる。前記制御ノードは、ハンドオーバー要求を受信する受信ユニットと、送信ノードに対して、前記パケット交換アクセスに関連付けられた前記セッションのソースアクセスレグを前記回線交換アクセスに関連付けられた前記セッションの目標のアクセスレグへ転送するように指示する指示ユニットと、を備える。
【００２０】
本願の文脈では、「加入者(subscriber)」、「ユーザ(user)」、「ユーザ装置(user equipment)」、「ＵＥ」、及び端末(terminal)という用語は、相互に交換可能な態様で使用され得る。特に、加入者又はユーザは、とりわけ、ユーザ装置（これは、省略形である「ＵＥ」と呼ばれる場合もある）又は端末を使用して何らかのサービス（特に、ＩＭＳ）に加入する人を意味する。特に、ユーザ装置は、通信確立又は進行中のセッションや呼の間に使用可能な別の通信デバイス又はエンティティとの通信の間に使用可能な移動体電話のような通信デバイスであってもよい。
【００２１】
「セッションをアンカーする(anchoring a session)」という用語は、とりわけ、セッションのアクセスレグがＵＥとアンカーポイントとの間にありセッションのリモートレグがアンカーポイントとリモート端との間にあるような態様でセッションを確立可能な手順を意味し得る。特に、アンカーポイントは、加入者の訪問先ネットワーク中に位置するサービス機能に結び付き得る。特に、アンカーポイントは、移動交換局サーバの中に位置するか又はこれに関連し得るVisited Access Transfer Functionであってもよい。
【００２２】
「ホームネットワーク(home network)」という用語は、とりわけ、ＵＥがそこへＩＭＳ登録を実行可能なネットワークを意味する。特に、ホームネットワークは、加入者データを記録することができる。特に、加入者の「ホームネットワーク」は、加入者の「ホームドメイン」と同一の場合がある。
【００２３】
「訪問先ネットワーク(visited network)」という用語は、とりわけ、加入者がそこへローミング可能なネットワークを意味する。ＵＥがローミングしていない場合、「訪問先ネットワーク」という用語は、ホームネットワークと同一である。
【００２４】
「パケット交換アクセスから回線交換アクセスへの加入者のセッションのハンドオーバー(handover of a session of a subscriber from a packet switched access to a circuit switched access)」という用語は、とりわけ、パケット交換アクセスから回線交換アクセスへの加入者のセッション転送を意味し得る。
【００２５】
「ハンドオーバー要求(handover request)という用語は、とりわけ、「ＳＲＶＣＣ  ＰＳ  ｔｏ  ＣＳハンドオーバー要求(SRVCC PS to CS handover request)」又は「アクセス転送要求(access transfer request)」を意味し得る。特に、本願の文脈では、「ＳＲＶＣＣ  ＰＳ  ｔｏ  ＣＳハンドオーバー要求(SRVCC PS to CS handover request)」及び「アクセス転送要求(access transfer request)」は、同一のものである場合もある。
【図面の簡単な説明】
【００２６】
以下、例を参照して本発明の実施形態をより詳細に説明するが、本発明の範囲は例には限定されない。
【図１】図１は、呼が加入者のホームネットワークにおいてアンカーされている間に使用される通信アーキテクチャを示すブロック図である。
【図２】図２は、本発明の例示的な実施形態に係る、呼が加入者の訪問先ネットワークにおいてアンカーされている間に使用される通信アーキテクチャを示すブロック図である。
【図３】図３は、本発明の例示的な実施形態に係る、加入者のパケット交換セッションをアンカーする方法を示すフロー図である。
【図４】図４は、本発明の例示的な実施形態に係る、パケット交換アクセスから回線交換アクセスへの加入者のセッションのハンドオーバーを実行する方法を示すフロー図である。
【図５】図５は、本発明の例示的な実施形態に係る、Service Centralization and Continuityアプリケーションサーバの構成を示すブロック図である。
【図６】図６は、本発明の例示的な実施形態に係る、移動交換局サーバの構成を示すブロック図である。
【発明を実施するための形態】
【００２７】
図面における図示は、概略的である。様々な図面において、類似の又は同一のエレメントには、同一の参照符号又は同一の略語を付す。
【００２８】
図２を参照すると、本発明の例示的な実施形態に係る通信アーキテクチャが、以下のように説明される。
【００２９】
図２の通信アーキテクチャは、図１の通信アーキテクチャに類似している。
【００３０】
訪問先ネットワークにおいて、ＵＥはＬＴＥアクセスネットワーク経由でＩＭＳにアタッチしている。ＵＥの呼は、ホームネットワークのＩＭＳにおけるＳＣＣ  ＡＳにおいてアンカーされる。
【００３１】
ＵＥは、訪問先ネットワークの異なるアクセスネットワーク間で、特に、パケット交換アクセスネットワークから回線交換アクセスネットワークへ、ハンドオーバーを実行することができる。これらのネットワークは、示される実施形態のＧＥＲＡＮ／ＵＴＲＡＮ／ＥＵＴＲＡＮに存在する。
【００３２】
訪問先ネットワークの移動交換局サーバ（ＭＳＣ−Ｓ）は、サービス機能として、Visited Access Transfer Functionを含み、メディアゲートウェイ（ＭＧＷ）は、ＭＲＦＰ機能を含む。ＭＳＣ−Ｓをシグナリングパスに含めると共にＭＧＷをメディアパスに含めるために、ホームネットワーク中のＳＣＣ  ＡＳは、セッション確立のために訪問先ネットワーク中のＭＳＣ−Ｓに対してシグナリングを行うことが可能であり、その逆も可能である。ＭＭＥは、パケット交換アクセスと回線交換アクセスとの間でハンドオーバーを実行するために、モビリティ関連シグナリングをＭＳＣ−Ｓに対して信号伝達することができる。
【００３３】
図３を参照して、パケット交換ホームネットワークにおいて加入者のセッションを確立することについて、以下に説明する。ここで、ＳＣＣ  ＡＳは、ＭＳＣ−Ｓの中に位置するＶＡＴＦにおいてセッションをアンカーする。
【００３４】
加入者のセッションを確立するために、３ＧＰＰ技術仕様２３．２２８［４］に記述される既存のMobile Origination手順が使用される。
【００３５】
ここでは参照符号ＵＥ−１により示す加入者は、リモート加入者ＵＥ−２に対するＩＭＳマルチメディアセッションを開始し、単数又は複数のＰＳメディアフローのみを使用する。加入者ＵＥ−１の要求は、通常のＩＭＳセットアップ手順に従うか基づくかして、ホームネットワークのＳ−ＣＳＣＦへと転送される（図３においてステップ１で示す）。
【００３６】
Ｓ−ＣＳＣＦのｉＦＣによるサービスロジックは、セッションを最初にアンカーするために、要求を、ホームネットワークのＳＣＣ  ＡＳに転送されるようにする（図３においてステップ２及び３で示す）。
【００３７】
ＳＣＣ  ＡＳは更に、セッション転送を可能にするために、シグナリングトラヒック及びメディアトラヒック両方について、ＭＳＣサーバ／ＶＡＴＦにおいてセッションをアンカーする（図３においてステップ４乃至８で示す）。この目的で、ＳＣＣ  ＡＳは対応する情報をＳ−ＣＳＣＦへ送信し、この情報は次にＳ−ＣＳＣＦによってＭＳＣサーバへ転送される。識別されたＭＳＣサーバ／ＶＡＴＦがメディアトラヒックの送信のために使用されるＭＧＷを割り当てるという点で、メディアトラヒックは訪問先ネットワークのＭＧＷにおいてアンカーされる。
【００３８】
ＳＣＣ  ＡＳがＭＳＣサーバにおいてセッションをアンカーすることを可能にするために、ＳＣＣ  ＡＳは、下記の手順のうちの１つにより、トラヒックのルーティング先の正しいＭＳＣサーバ／ＶＡＴＦを識別又は発見する。
【００３９】
第１の手順では、加入者ＵＥ−１が現在ローミングしている在圏ネットワークに基づいて、ＭＳＣサーバに対する事前設定されたパブリックサービスアイデンティティ（ＰＳＩ）が使用される。ここで、ＳＣＣ  ＡＳは、加入者ＵＥ−１が現在登録しているネットワークを判定するために、例えばP-access-network-infoヘッダ、又はP-visited-network-infoヘッダを使用することができる。その後は、加入者を処理可能なＭＳＣサーバにおいてセッションがアンカーされることを確実にするのは、訪問先ネットワーク次第である。このことは、アプリケーションサーバに対する動的なユーザ割り当てのために定義されたものと同様の手順により、実行可能であろう。即ち、ＭＳＣサーバを選択するために、訪問先ネットワーク中の「負荷分散／ＭＳＣサーバ選択(load balancing / MSC server selection)」機能（ＭＳＦ）が使用される。ＭＳＦは、Ｃ−ＭＳＩＳＤＮ(Correlation Mobile Station International ISDN Number)及び／又はＩＭＳＩ(International Mobile Subscriber Identity)に基づき、適切なＭＳＣサーバインスタンスを選択する。この選択は、Ｃ−ＭＳＩＳＤＮに基づいてもよく、オプションとして、ＩＭＳＩに基づいてもよい。注目すべきこととして、図２に示すＳｖ参照点を確立するＭＳＣサーバを選択するために、ＭＭＥにおいて同じ分散機能／ＭＳＦを使用することができる。
【００４０】
追加で、又は代替として、第２の手順では、ＳＣＣ  ＡＳは、ホームネットワークのホームロケーションレジスタ（ＨＬＲ）及びホーム加入者サーバ（ＨＳＳ）の少なくとも一方に対して加入者ＵＥ−１の移動局ローミング番号（ＭＳＲＮ）を要求することにより、加入者ＵＥ−１が割り当てられている（そうであるならば）ＭＳＣサーバを識別する。すると、ＭＳＲＮは、ＭＳＣ−Ｓにおいてシグナリングをアンカーするために使用可能である。
【００４１】
注目できることとして、端末又は加入者ＵＥ−１が、３ＧＰＰ技術仕様２３．２７２に規定されるようにＳＧｓを介してショートメッセージサービス（ＳＭＳ）を使用している場合、加入者ＵＥ−１は、ＬＴＥにキャンプオンしている間はＭＳＣサーバに割り当てられる。
【００４２】
ＳＣＣ  ＡＳは、ＭＳＣサーバ／ＶＡＴＦにおいてセッションをアンカーする際に、加入者ＵＥ−１のＣ−ＭＳＩＳＤＮ及びＩＭＳＩのうちの少なくとも一方を含んでいる。特に、ＳＣＣ  ＡＳは、Ｃ−ＭＳＩＳＤＮを含み、オプションとして、ＩＭＳＩを含む。追加で、又は代替として、ＳＣＣＡＳは、ＩＭＥＩ(International Mobile Equipment Identity)を含む場合もある。Ｃ−ＭＳＩＳＤＮは、ＶＡＴＦにより、ＭＭＥから到来するＣ−ＭＳＩＳＤＮを含むハンドオーバーリクエストを進行中のもの(ongoing)に相関させるための相関識別子として使用される。
【００４３】
更に注目可能なこととして、Ｓ−ＣＳＣＦからＭＳＣサーバ／ＶＴＡＦへ招待情報を送信すること、及び、ＭＳＣサーバ／ＶＡＴＦから更なる招待情報を送信すること（図３においてそれぞれステップ５及び７で示す）は、メディアゲートウェイ制御機能（ＭＧＣＦ）を介して、ＭＳＣサーバとホームネットワークのＩＭＳの中のＭＧＣＦとの間のＩＳＵＰ(ISDN Iser Part)又はＢＩＣＣ(Bearer Independent Call Control)プロトコルのシグナリングを用いて行ってもよい。
【００４４】
更に注目可能なこととして、セッションをアンカーすることは、セッションのアクセスレグがＵＥ−１とＭＳＣサーバ／ＶＡＴＦとの間にある一方で、シグナリングのためのセッションのリモートレグがＭＳＣサーバ／ＶＡＴＦとホームネットワーク中のＳＣＣ  ＡＳとの間にあるということを意味し得る。
【００４５】
ＳＣＣ  ＡＳは、加入者ＵＥ−２に対するセッションのセットアップを完了させ、加入者ＵＥ−１に対して応答を送信する（図３においてステップ９で示す）。
【００４６】
ＭＳＦは、ＭＳＣサーバ／ＶＡＴＦの選択のための多数の異なる値を含み、ＭＳＩＳＤＮ及びＩＭＳＩの少なくとも一方に限定されはしないが、例えばＶＬＲ  ＴＭＳＩ(Visitor Location Register Temporary Mobile Subscriber Identity)及びＬＡＩ(Location Area Identity)も含んでもよい。このことは、加入者ＵＥ−１がＳＩＰシグナリングを介して対応する情報を提供するように構成されることを必要とする場合がある。
【００４７】
選択されたＶＡＴＦは、呼の存続期間はシグナリングパスの中にある必要がある。このことは、ＳＧｓが使用される場合に、新たに選択されたＭＭＥが同じＭＳＣサーバ／ＶＡＴＦに対するＳＧｓ参照点を確立する必要があるということを要求する場合がある。このことは、ＭＳＣサーバＩＤ（ＭＳＣ  ＩＤ）を選択アルゴリズム（ＭＳＦ）の中に含めることによって実行可能であり、ＭＳＣ  ＩＤは、ＭＭＥハンドオーバーのコンテキストに含まれる必要もある。
【００４８】
図４を参照して、ＰＳアクセスネットワークからＣＳアクセスネットワークへの加入者のセッションの転送について以下に説明する。
【００４９】
より正確には、以下のセクションは、訪問先ネットワーク中のＶＡＴＦを使用する際のアクセス転送に関するハイレベルの又は高等な手順を説明する。
【００５０】
３ＧＰＰ技術仕様２３．２１６［１０］の６．２．２．１節に規定される手順の結果、ＭＭＥは、Ｃ−ＭＳＩＳＤＮ／ＩＭＳＩに基づき、加入者ＵＥ−１（図３ＡではＵＥと示す）のセッションを現在アンカーしている正しいＭＳＣサーバを判断することになる（図４においてそれぞれステップ１及び２で示す）。既存の手順に加えて、ＭＭＥは、図３に関して上述した正しいＭＳＣサーバを発見するための分散機能（ＭＳＦ）と同種のものを使用することができる。
【００５１】
ＭＳＣサーバは、ＭＭＥからハンドオーバー要求を受信する（図４においてステップ２で示す）。
【００５２】
ＭＳＣサーバは、メディアを送受信するためのＭＧＷにおけるメディアアンカーを、目標のアクセスレグ（ＣＳレグ）に更新し（図４においてステップ３で示す）、ソースアクセスレグに対するメディアを停止する。この時点で、ＩＭＳネットワークの中ではこれ以上のシグナリングは必要ない。
【００５３】
注目可能なこととして、ＭＳＣサーバは、ＭＧＷに対して、中断遅延を更に最小化するために、ある程度の時間はソースアクセスレグ及び新たな目標のアクセスレグの両方でメディアを送信するように指示してもよい（所謂バイキャスティングを使用することにより）。
【００５４】
その後、ソースアクセスレグを解放することができる（図４においてステップ４で示す）。
【００５５】
以下では、ネットワークに対する影響について説明する。
【００５６】
（加入者のホームネットワークの）ＳＣＣ  ＡＳは、訪問先ネットワーク中のアクセス転送機能を発見するための新たな機能を必要とし得る。
【００５７】
ＭＭＥは、加入者が現在使用しているＭＳＣサーバを判断する新たな機能による影響を受ける可能性がある（特に、加入者がＣＳにアタッチしたことがない場合に）。
【００５８】
ＭＳＣサーバは、進行中のセッション／呼をＭＭＥから到来するハンドオーバー要求に相関させ、ある程度の期間、ＭＧＷがＰＳレグ及びＣＳレグの両方にメディアを送信することを確保する、特別な手順を有する必要がある可能性がある。
【００５９】
ＭＧＷは、ハンドオーバーに先立ってメディアパスに既に含まれている可能性があり、それゆえ、セッション確立の間にコーデックが選択される場合がある。ＳＲＶＣＣの後でコーデックを変更する必要はないかもしれない。
【００６０】
図５は、本発明の実施形態に係る、加入者のパケット交換セッションをアンカーするための制御ノード５００の構成を示す。制御ノード５００は、アプリケーションサーバとして構成され、とりわけ、加入者のホームネットワークのＳＣＣ  ＡＳとして構成される。
【００６１】
制御ノード５００は、とりわけ加入者からセッションセットアップのためのパケット交換要求を受信する受信ユニット５０２と、加入者の訪問先ネットワークの制御ノードにおいてパケット交換セッションをアンカーするためのアンカーユニット５０４と、を備える。
【００６２】
アンカーユニット５０４は、ホームネットワークの制御ノードにおいてパケット交換セッションのためのシグナリングをアンカーするように構成される。制御ノード５００は、後者を実行するための別のアンカーユニットを含んでもよい。
【００６３】
アンカーユニット５０４は、訪問先ネットワークの制御ノードを識別するように更に構成される。
【００６４】
アンカーユニット５０４は、訪問先ネットワークの制御ノードにおいてパケット交換セッションをアンカーし、訪問先ネットワークの送信ノードにおいてメディアをアンカーするために、訪問先ネットワークの制御ノードに対して情報を送信するように構成される。アンカーユニット５０４は、送信機として構成可能である。
【００６５】
制御ノード５００は、処理ユニット５０６、とりわけ、プロセッサを備え、処理ユニット５０６の中では、加入者のパケット交換セッションをアンカーする方法、及び／又はパケット交換アクセスから回線交換アクセスへの加入者のセッションのハンドオーバーを実行する方法を実行する適当なアルゴリズムを実行可能である。アンカーユニット５０４は、少なくとも部分的には、処理ユニット５０６の一部であってもよい。
【００６６】
制御ノード５００は、加入者のパケット交換セッションをアンカーする方法、及び／又はパケット交換アクセスから回線交換アクセスへの加入者のセッションのハンドオーバーを実行する方法を実行する間に必要な情報を格納する格納ユニット５０８を備える。
【００６７】
図６は、パケット交換アクセスから回線交換アクセスへの加入者のセッションのハンドオーバーを実行するための制御ノード６００の構成を示す。制御ノード６００は、移動交換局サーバ（ＭＳＣ−Ｓ）として構成される。
【００６８】
制御ノード６００は、ハンドオーバー要求を受信する受信ユニット６０２と、送信ノード、とりわけメディアゲートウェイ、に対して、パケット交換アクセスに関連付けられたセッションのソースアクセスレグを回線交換アクセスに関連付けられたセッションの目標のアクセスレグへと転送するように指示する指示ユニット６０４と、を備える。
【００６９】
指示ユニット６０４は、パケット交換アクセスから回線交換アクセスへの加入者のセッションのハンドオーバーを実行する方法を実行することにとりわけ関係する情報を送信するように構成される。
【００７０】
制御ノード６００は、処理ユニット６０６、とりわけ、プロセッサを備え、処理ユニット６０６の中では、加入者のパケット交換セッションをアンカーする方法、及び／又はパケット交換アクセスから回線交換アクセスへの加入者のセッションのハンドオーバーを実行する方法を実行する適当なアルゴリズムを実行可能である。指示ユニット６０４は、少なくとも部分的には、処理ユニット６０６の一部であってもよい。
【００７１】
制御ノード６００は、加入者のパケット交換セッションをアンカーする方法、及び／又は加入者のパケット交換セッションをアンカーする方法を実行する間に必要な情報を格納する格納ユニット６０８を備える。
【００７２】
制御ノード６００は、加入者の訪問先ネットワーク中に位置することができる。
【００７３】
制御ノード６００は、訪問先アクセス転送機能（ＶＡＴＦ）を備えることができる。
【００７４】
送信ノード又は転送ノードは、加入者の訪問先ネットワーク中に位置することができるメディアゲートウェイ（ＭＧＷ）として構成可能である。送信ノードは、ＭＲＦ(Multimedia Resource Function)を備えることができる。
【００７５】
モビリティ管理ノードは、加入者の訪問先ネットワーク中に位置することができるモビリティ管理エンティティ（ＭＭＥ）として構成可能である。モビリティ管理ノードは、ＭＳＣサーバ選択機能（ＭＳＦ）を備えることができる。
【００７６】
上の説明及び関連する図面において提示した教示の利益を有する、開示される発明の変形及び他の実施形態が、当業者にとって思い浮かぶであろう。それゆえ、理解すべきこととして、本発明は、開示される具体的な実施形態には限定されず、変形及び他の実施形態が本開示の範囲内に含まれることが意図されている。具体的な用語が本明細書において使用されているかもしれないが、これらは一般的で説明的な意味においてのみ使用されており、限定の目的で使用されている訳ではない。
【００７７】
略語
BICC    ベアラ非依存呼制御(Bearer Independent Call Control)
BSS    ベースステーションサブシステム(Base Station Subsystem)
C-MSISDN  Correlation Mobile Station International ISDN Number
CS     回線交換(Circuit Switched)
DSL    デジタル加入者回線(Digital Subscriber Line)
EPC    Evolved Packet Core
EUTRAN    evolved Universal Terrestrial Radio Access Network
GERAN    GSM EDGE Radio Access Network
3GPP    第３世代パートナーシップ・プロジェクト(Third Generation Partnership Project)
GSM    Global System for Mobile Communication
HLR    ホームロケーションレジスタ(Home Location Register)
HO    ハンドオーバー(Handover)
HSS    ホーム加入者サーバ(Home Subscriber Server)
ICS    ＩＭＳ集中サービス(IMS Centralized Services)
iFC    初期フィルタ基準(initial Filter Criteria)
IMS    ＩＰマルチメディア・サブシステム(IP Multimedia Subsystem)
IMSI    国際移動電話加入者ＩＤ(International Mobile Subscriber Identity)
IP    インターネットプロトコル(Internet Protocol)
LAI    Location Area Identity
ISUP    ＩＳＤＮユーザパート(ISDN User Part)
ISDN    サービス総合デジタル網(Integrated Services Digital Network)
LTE    Long Term Evolution
MGCF    メディアゲートウェイ制御機能(Media Gateway Control Function)
MGW    メディアゲートウェイ(Media Gateway)
MME    移動管理エンティティ(Mobile Management Entity)
MSF    ＭＳＣ選択機能(MSC Selection Function)
MRFP    メディアリソース機能プロセッサ(Media Resource Function Processor)
MSC     移動交換局(Mobile Switching Centre)
MSC-S    移動交換局サーバ(Mobile Switching Centre Server)
MSRN    移動局ローミング番号(Mobile Station Roaming Number)
P-CSCF    プロキシ呼サーバ制御機能(Proxy Call Server Control Function)
P-GW    パケットゲートウェイ(Packet Gateway)
PS    パケット交換(Packed Switched)
PSI    パブリックサービスアイデンティティ(Public Service Identity)
RNC    無線ネットワーク制御装置(Radio Network Controller)
RTP    リアルタイムプロトコル(Real Time Protocol)
SCC AS    サービス集中及び継続アプリケーションサーバ(Service Centralization and Continuity Application Server)
S-CSCF    サービング呼サーバ制御機能(Serving Call Server Control Function)
SDP    セッション記述プロトコル(Session Description Protocol)
S-GW    サービングゲートウェイ(Serving Gateway)
SIP    セッション開始プロトコル(Session Initiated Protocol)
SR-VCC    Single Radio - Voice Call Continuity
UE    ユーザ装置(User Equipment)
UTRAN    Universal Terrestrial Radio Access Network
VATF    訪問先アクセス転送機能(Visited Access Transfer Function)
VLR    在圏ロケーションレジスタ(Visitor Location Register)
VLR TMSI    在圏ロケーションレジスタ・テンポラリ移動電話加入者ＩＤ(Visitor Location Register Temporary Mobile Subscriber Identity)
VoIP     ボイス・オーバーＩＰ(Voice over IP)
WCDMA    広帯域符号分割多元接続(Wideband Code Division Multiple Access)
WLAN    無線ローカルエリアネットワーク(Wireless Local Area Network)
【図１】
2013510488.tif 000003
【図２】
2013510488.tif 000004
【図３】
2013510488.tif 000005
【図４】
2013510488.tif 000006
【図５】
2013510488.tif 000007
【図６】
2013510488.tif 000008
【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
訪問先ネットワークの加入者のパケット交換セッションをアンカーする方法であって、
前記加入者から、前記パケット交換セッションをセットアップするためのパケット交換要求を受信するステップと、
前記加入者の訪問先ネットワークの制御ノード（６００）において前記パケット交換セッションをアンカーするステップと、
を備え、
前記アンカーするステップは、前記訪問先ネットワークの前記制御ノード（６００）において前記パケット交換セッションをアンカーすると共に前記訪問先ネットワークの送信ノード（ＭＧＷ）においてメディアをアンカーするために、前記訪問先ネットワークの前記制御ノード（６００）に対して情報を送信するステップを含み、
前記情報を送信するステップは、Ｃ−ＭＳＩＳＤＮ(Correlation Mobile Station International ISDN Number)、ＩＭＳＩ(International Mobile Subscriber Identity)、及びメディア記述のうちの少なくとも１つを送信するステップを含む
ことを特徴とする方法。
【請求項２】
前記加入者のホームネットワークの制御ノード（５００）によって実行される
ことを特徴とする請求項１に記載の方法。
【請求項３】
ホームネットワークの前記制御ノード（５００）において前記パケット交換セッションのためのシグナリングをアンカーするステップを備える
ことを特徴とする請求項１又は２に記載の方法。
【請求項４】
前記アンカーするステップは、前記訪問先ネットワークの前記制御ノード（６００）を識別するステップを含む
ことを特徴とする請求項１乃至３のいずれか１項に記載の方法。
【請求項５】
前記識別するステップは、前記訪問先ネットワークの前記制御ノード（６００）の設定済パブリックサービスアイデンティティ（ＰＳＩ)を使用すること、及び、前記訪問先ネットワークの前記制御ノード（６００）に関する情報をホームネットワークに対して要求することのうちの少なくとも一方に基づく
ことを特徴とする請求項４に記載の方法。
【請求項６】
前記訪問先ネットワークの前記制御ノード（６００）に関する情報を前記ホームネットワークに対して要求することは、前記ホームネットワークのホームロケーションレジスタ（ＨＬＲ）及びホーム加入者サーバ（ＨＳＳ）のうちの少なくとも一方に対して移動局ローミング番号（ＭＳＲＮ）を要求することを含む
ことを特徴とする請求項５に記載の方法。
【請求項７】
前記訪問先ネットワークの前記制御ノード（６００）において前記パケット交換セッションをアンカーすると共に前記訪問先ネットワークの送信ノード（ＭＧＷ）においてメディアをアンカーするために、前記訪問先ネットワークの前記制御ノード（６００）に対して情報を送信する前記ステップは、前記セッションのセットアップに関する情報を前記訪問先ネットワークの前記制御ノード（６００）へ転送するステップを含む
ことを特徴とする請求項１乃至６のいずれか１項に記載の方法。
【請求項８】
訪問先ネットワークの加入者のパケット交換セッションをアンカーする制御ノード（５００）であって、
前記加入者から、前記パケット交換セッションをセットアップするためのパケット交換要求を受信する受信ユニット（５０２）と、
前記加入者の訪問先ネットワークの制御ノード（６００）において前記パケット交換セッションをアンカーするアンカーユニット（５０４）と、
を備え、
前記アンカーすることは、前記訪問先ネットワークの前記制御ノード（６００）において前記パケット交換セッションをアンカーすると共に前記訪問先ネットワークの送信ノード（ＭＧＷ）においてメディアをアンカーするために、前記訪問先ネットワークの前記制御ノード（６００）に対して情報を送信することを含み、
前記情報を送信することは、Ｃ−ＭＳＩＳＤＮ(Correlation Mobile Station International ISDN Number)、ＩＭＳＩ(International Mobile Subscriber Identity)、及びメディア記述のうちの少なくとも１つを送信することを含む
ことを特徴とする制御ノード（５００）。
【請求項９】
前記加入者のホームネットワークのサービス集中及び継続アプリケーションサーバ（ＳＣＣ  ＡＳ）として構成される
ことを特徴とする請求項８に記載の制御ノード（５００）。
【請求項１０】
請求項１乃至７のいずれか１項に記載の加入者のパケット交換セッションをアンカーする方法を実行するように構成される
ことを特徴とする請求項８又は９に記載の制御ノード（５００）。
【請求項１１】
パケット交換アクセスから回線交換アクセスへの訪問先ネットワークの加入者のセッションのハンドオーバーを実行する方法であって、
請求項１乃至７のいずれか１項に記載の前記加入者のパケット交換セッションをアンカーする方法と、
ハンドオーバー要求を受信するステップと、
前記送信ノード（ＭＧＷ）に対して、前記パケット交換アクセスに関連付けられた前記セッションのソースアクセスレグを前記回線交換アクセスに関連付けられた前記セッションの目標のアクセスレグへ転送するように指示するステップと、
を備えることを特徴とする方法。
【請求項１２】
パケット交換アクセスから回線交換アクセスへの訪問先ネットワークの加入者のセッションのハンドオーバーを実行するネットワークであって、
請求項８又は９に記載の制御ノードと、
別の制御ノード（６００）と、
を備え、
前記別の制御ノードは、
ハンドオーバー要求を受信する受信ユニット（６０２）と、
前記送信ノード（ＭＧＷ）に対して、前記パケット交換アクセスに関連付けられた前記セッションのソースアクセスレグを前記回線交換アクセスに関連付けられた前記セッションの目標のアクセスレグへ転送するように指示する指示ユニット（６０４）と、
を備える
ことを特徴とするネットワーク。
【請求項１３】
前記別の制御ノード（６００）は、移動交換局サーバ（ＭＳＣ−Ｓ）として構成される
ことを特徴とする請求項１２に記載のネットワーク。
【請求項１４】
前記別の制御ノード（６００）は、訪問先アクセス転送機能（ＶＡＴＦ）を備える
ことを特徴とする請求項１２又は１３に記載のネットワーク。
【請求項１５】
請求項１１に記載のパケット交換アクセスから回線交換アクセスへの加入者のセッションのハンドオーバーを実行する方法を実行するように構成される
ことを特徴とする請求項１２又は１４に記載のネットワーク。
【国際調査報告】
2013510488.tif 000009
2013510488.tif 000010
2013510488.tif 000011
2013510488.tif 000012
2013510488.tif 000013